(57)【要約】  【課題】上下方向の変位量を小さくすることができる揺動式の椅子を提供する。  【解決手段】椅子は、２つのリンク部材と、座受けと、座体と、連結部と、を備える。リンク部材は、上下に延びる。座受けは、２つのリンク部材と連結してリンク機構を構成し、リンク機構を動作させて揺動可能に構成される。座体は、着座時に弾性変形する薄板状又はシート状の着座部と、着座部の周囲に配置され、着座部を保持する保持部と、を有する。連結部は、着座部が座受けに対して上下方向の間隔を空けた状態となるように、保持部と座受けとを連結する。連結部における座受けと当接する面は、水平方向を向く面、及び、水平方向よりも上を向く面のいずれか一方又は両方である。【選択図】図１
2020062335.tif 000002
【特許請求の範囲】
【請求項１】
椅子であって、
上下に延びる２つのリンク部材と、
前記２つのリンク部材と連結してリンク機構を構成し、該リンク機構を動作させて揺動可能に構成された座受けと、
着座時に弾性変形する薄板状又はシート状の着座部と、前記着座部の周囲に配置され、前記着座部を保持する保持部と、を有する座体と、
前記着座部が前記座受けに対して上下方向の間隔を空けた状態となるように、前記保持部と前記座受けとを連結する連結部と、を備え、
前記連結部における前記座受けと当接する面は、水平方向を向く面、及び、水平方向よりも上を向く面のいずれか一方又は両方である、椅子。
【請求項２】
請求項１に記載の椅子であって、
前記連結部は、上方向を向く面において前記座受けと当接する、椅子。
【請求項３】
請求項１又は請求項２に記載の椅子であって、
前記座受けは、
前記２つのリンク部材と連結する２つの軸部材が配置される本体部と、
前記本体部から水平方向に延び出す延出部と、を備え、
前記連結部は、前記延出部と当接する、椅子。
【請求項４】
椅子であって、
上下に延びる２つのリンク部材と、
前記２つのリンク部材と連結してリンク機構を構成し、該リンク機構を動作させて揺動可能に構成された座受けと、
着座時に弾性変形する薄板状又はシート状の着座部と、前記着座部の周囲に配置され、前記着座部を保持する保持部と、を有する座体と
前記着座部が前記座受けに対して上下方向の間隔を空けた状態となるように、前記保持部と前記座受けとを連結する連結部と、を備え、
前記連結部の少なくとも一部は、前記座受けと前記２つのリンク部材を連結する水平方向に延びる２つの軸部材のうちの少なくともいずれか一方の上端よりも下側に位置する、椅子。
【請求項５】
請求項１から請求項４のいずれか１項に記載の椅子であって、
当該椅子は、背もたれを備えており、
前記連結部は、前記背もたれを支持する背もたれ支持部を備えている、椅子。
【請求項６】
請求項１から請求項５のいずれか１項に記載の椅子であって、
前記着座部は、前記保持部に張り掛けられたシート状の部材である、椅子。
【発明の詳細な説明】
【技術分野】
【０００１】
本開示は、椅子に関する。
【背景技術】
【０００２】
従来、使用者が着席する着座部に弾性変形可能なシート状部材又は薄板部材を用いた椅子が開示されている。例えば特許文献１には、椅子の着座部にメッシュを用いた椅子が開示されている。
また従来、座体が前後揺動可能な椅子として、リンク機構を構成したものが開示されている。例えば特許文献２には、前後の脚と、座受けと、客座と、から構成される四節リンクによって座体を揺動する椅子が開示されている。
【先行技術文献】
【特許文献】
【０００３】
【特許文献１】特願２０１５−１９８９０４号公報
【特許文献２】特願２０１０−２９６５１号公報
【発明の概要】
【発明が解決しようとする課題】
【０００４】
上記特許文献１の椅子は、メッシュの下方にメッシュが変形するための空間が設けられている。メッシュ等の弾性変形可能な部材を用いた椅子を、特許文献２のようにリンク機構を用いて前後揺動可能に構成する場合、リンクを構成する座受けをメッシュから十分に低い位置に配置する必要がある。
【０００５】
座受けを低い位置に配置すると、前後の脚の長さが短くなる。前後の脚の長さを短くすると、座体の前後揺動に伴う上下方向の動きが大きくなってしまうという問題があった。
本開示の目的は、上下方向の変位量を小さくすることができる揺動式の椅子を提案することである。
【課題を解決するための手段】
【０００６】
本開示の一態様は、椅子であって、２つのリンク部材と、座受けと、座体と、連結部と、を備える。リンク部材は、上下に延びる。座受けは、２つのリンク部材と連結してリンク機構を構成し、リンク機構を動作させて揺動可能に構成される。座体は、着座時に弾性変形する薄板状又はシート状の着座部と、着座部の周囲に配置され、着座部を保持する保持部と、を有する。連結部は、着座部が座受けに対して上下方向の間隔を空けた状態となるように、保持部と座受けとを連結する。連結部における座受けと当接する面は、水平方向を向く面、及び、水平方向よりも上を向く面のいずれか一方又は両方である。
【０００７】
このような構成であれば、連結部が座受けの下方、側方、及び下方かつ側方、のいずれかから座受けに当接する。そのため、連結部を座受けに上から乗せるように配置して連結部と座受けとを固定する場合と比較して、着座部と座受けとの間の空間を広く確保しつつ、座受けを高い位置に配置することができる。座受けを高い位置に配置することで、リンク部材の上下方向の長さを長くすることができるため、座体が揺動する時の上下方向の変位量を小さくできる。これにより、例えば、使用者が感じる違和感の低減、当該椅子を机と組み合わせて配置する場合の机及び椅子の設計自由度の向上、使用者が座体を移動させる場合の負荷の低減などを図ることができる。
【０００８】
上述した連結部は、上方向を向く面において座受けと当接してもよい。このような構成
であれば、座受けの位置をより高い位置とすることができる。
上述した座受けは、本体部と、延出部と、を備えてもよい。本体部は、２つのリンク部材と連結する２つの軸部材が配置される。延出部は、本体部から水平方向に延び出す。連結部は、延出部と当接してもよい。
【０００９】
このような構成であれば、連結部が延出部と当接するため、本体部における軸部材の配置に連結部が与える影響が低減され、軸部材の配置の自由度が向上する。よって、軸部材の位置を高くすることが容易となり、座体揺動時の上下方向の変位をより高度に低減できる。
【００１０】
本開示の別の一態様は、椅子であって、２つのリンク部材と、座受けと、座体と連結部と、を備える。リンク部材は、上下に延びる。座受けは、２つのリンク部材と連結してリンク機構を構成し、リンク機構を動作させて揺動可能に構成される。座体は、着座時に弾性変形する薄板状又はシート状の着座部と、着座部の周囲に配置され、着座部を保持する保持部と、を有する。連結部は、着座部が座受けに対して上下方向の間隔を空けた状態となるように、保持部と座受けとを連結する。連結部の少なくとも一部は、座受けと２つのリンク部材を連結する水平方向に延びる２つの軸部材のうちの少なくともいずれか一方の上端よりも下側に位置する。
【００１１】
このような構成であれば、軸部材の位置が高い位置であることにより、リンク部材の上下方向の長さを長くすることができるため、座体が揺動する時の上下方向の変位量を小さくできる。
【００１２】
本開示の一態様又は別の一態様の椅子は、背もたれを備えていてもよい。連結部は、背もたれを支持する背もたれ支持部を備えていてもよい。このような構成であれば、連結部に背もたれ支持片が設けられているため、背もたれを安定して支持することができる。
【００１３】
また上述した着座部は、保持部に張り掛けられたシート状の部材であってもよい。このような構成であれば、柔軟性の高いシート状の部材を用いて座体を構成した場合において、座体の上下の変位量を低減することができる。
【図面の簡単な説明】
【００１４】
【図１】図１Ａは第１実施形態の椅子の斜視図であり、図１Ｂは第１実施形態の椅子の図１Ａとは異なる視点の斜視図である。
【図２】図２Ａは第１実施形態の椅子の正面図であり、図２Ｂは第１実施形態の椅子の背面図である。
【図３】図３Ａは第１実施形態の椅子の平面図であり、図３Ｂは第１実施形態の椅子の底面図である。
【図４】図４Ａは後方位置にある第１実施形態の椅子の側面図であり、図４Ｂは前方位置にある第１実施形態の椅子の側面図である。
【図５】図２ＡのＶ−Ｖ断面図である。
【図６】第１実施形態の椅子の座受け及び連結部周辺を拡大した正面図である。
【図７】リンク部材の高さにより座体の上下の変位量が変化することを説明する図である。
【図８】図８Ａ−８Ｃが、第１実施形態の変形例を示す図であり、座受け、シャフト、及び前脚を断面図で示した模式図である。
【図９】図９Ａが第２実施形態の椅子を示す図であって、座受け、シャフト、及び前脚を断面図で示した模式図であり、図９Ｂが第２実施形態の変形例を示す模式図である。
【発明を実施するための形態】
【００１５】
以下に本開示の実施形態を図面と共に説明する。
［１．第１実施形態］
［１−１．全体構成］
第１実施例の椅子１は、図１Ａ〜図５に示されるように、座体１１と、座受け１２と、左右一対の連結部１３Ａ及び１３Ｂと、脚座１４と、前脚１５と、後脚１６と、背もたれ１７とを備える。
【００１６】
この椅子１は、図４Ａ〜図４Ｂに示されるように、前後に揺動可能に構成されている。椅子１に外部から荷重が加えられない場合は、図示しない付勢部材により図４Ｂに示される前方位置に移動する。使用者が座体１１や背もたれ１７を後方に押したときなどには、椅子１は図４Ａに示される後方位置に移動する。椅子１が後方位置にあるときに、使用者は通常の着席が可能となる。
【００１７】
なお以下の説明において、前後左右及び上下の方向は、当該椅子１に使用者が着席したときの着席者を基準とした方向である。これらの方向は、椅子１の構成を説明するために便宜的に用いるものであり、その配置や使用態様等を限定するものではない。
【００１８】
座体１１は、図３Ａ〜図３Ｂに明りょうに示されるように、保持部２１と、保持部２１に保持される着座部２２と、を含む。
保持部２１は、平面視で略四角形の枠体であり、枠左部２１Ｌ、枠右部２１Ｒ、枠前部２１Ｆ及び枠後部２１Ｂを含む。枠左部２１Ｌ及び枠右部２１Ｒは、前後方向に長さを有しており、保持部２１の左部及び右部を構成する。枠前部２１Ｆ及び枠後部２１Ｂは、左右方向に長さを有しており、保持部２１の前部及び後部を構成する。
【００１９】
着座部２２は、弾性変形可能なシート状の部材である。本実施形態では、保持部２１に張り掛けられたメッシュが着座部２２として用いられている。なおシート状とは、薄く拡がる布や紙のような形状を意味するが、厚みを有していてもよい。
【００２０】
保持部２１は着座部２２の周囲を取り囲むように配置されている。使用者による座体１１への着座時には、保持部２１は大きく変形しないが、着座部２２は弾性変形し、荷重を大きく受けた位置を中心に下方に窪んだ形状となる。
【００２１】
座受け１２は、本体部３１と、延出部３２と、を備える。座受け１２は、座体１１の着座部２２の下側となる領域に設けられている。
本体部３１には、前脚１５の上端と連結する第１シャフト３３と、後脚１６の上端と連結する第２シャフト３４と、が配置されている。第１シャフト３３及び第２シャフト３４は、いずれも水平方向（より詳細には左右方向）に延びている。第１シャフト３３及び第２シャフト３４が、２つの軸部材に相当する。第２シャフト３４は、第１シャフト３３よりも後方に配置される。また、椅子１が後方位置にあるときには、第１シャフト３３と第２シャフト３４とは略同じ高さに位置している。
【００２２】
延出部３２は、本体部３１の側面から水平方向に延び出す板状の部分である。本第１実施形態では、本体部３１の左右の側面に配置され、側面の上端部からそれぞれ左右方向に延び出している。延出部３２は、連結部１３Ａ、１３Ｂと当接し、例えばネジ等の締結具を用いてそれらと連結される。
【００２３】
左右一対の連結部１３Ａ及び１３Ｂは、保持部２１と座受け１２とを連結する。連結部１３Ａ及び１３Ｂは、左右方向に対称である。ここでは、それらを代表して左側の連結部１３Ａについて説明する。なお、連結部１３Ａ及び１３Ｂを区別せず両方を指す場合には、単に連結部１３とも記載する。
【００２４】
連結部１３Ａは、座受け支持部４１と、座体支持部４２と、第１接続部４３と、第２接続部４４と、背もたれ支持部４５と、を備える。
座受け支持部４１は、前後方向に延びる柱状の部材である。座受け支持部４１は、座受け１２の延出部３２と当接し、延出部３２と連結する。なお、座受け１２と連結部１３との連結の詳細については後述する。
【００２５】
座体支持部４２は、前後方向に延びる柱状の部材である。座体支持部４２は、枠左部２１Ｌの下面と当接し、保持部２１を支持する。なお、右側の連結部１３Ｂの座体支持部４２は、枠右部２１Ｒを支持する。
【００２６】
第１接続部４３及び第２接続部４４は、柱状の部材である。第１接続部４３は、座受け支持部４１の前端と、座体支持部４２の前端と、を接続する。第２接続部４４は、座受け支持部４１の後端と、座体支持部４２の後端と、を接続する。
【００２７】
背もたれ支持部４５は、第２接続部４４の後端から上方向に延び出す柱状の部材である。連結部１３Ａの背もたれ支持部４５と連結部１３Ｂの背もたれ支持部４５とにより、背もたれ１７の後述する枠部材６２の左右部分が支持される。
【００２８】
脚座１４は、床面に設置される。脚座１４は、前脚１５の下端と連結する第３シャフト５１と、後脚１６の下端と連結する第４シャフト５２と、を備える。第３シャフト５１及び第４シャフト５２は、いずれも水平方向（より詳細には左右方向）に延びている。第４シャフト５２は、第３シャフト５１よりも後方、かつ、第３シャフト５１よりも上方に設けられている。
【００２９】
前脚１５及び後脚１６は、前後方向に並べて配置される。前脚１５は、第１シャフト３３を回転軸として座受け１２に対して回動可能である。また前脚１５は、第３シャフト５１を回転軸として脚座１４に対して回動可能である。後脚１６は、第２シャフト３４を回転軸として座受け１２に対して回動可能である。また、後脚１６は、第４シャフト５２を回転軸として脚座１４に対して回動可能である。前脚１５及び後脚１６が、リンク部材に相当する。
【００３０】
上述した座受け１２は、前脚１５及び後脚１６と連結している。また脚座１４は、前脚１５及び後脚１６と連結している。したがって、座受け１２、脚座１４、前脚１５、及び後脚１６により、リンク機構３が構成される。座受け１２は、リンク機構３を動作させることにより、前後方向に揺動する。座受け１２の揺動に伴い、座受け１２に連結された座体１１も揺動する。なお、前脚１５及び後脚１６は上下に延びる部材である。ここでいう“上下に延びる”とは、前脚１５及び後脚１６が、リンク機構３を構成するジョイント（第１〜第４シャフト）を高さの異なる位置で保持するという意味である。具体的には、第１シャフト３３が第３シャフト５１よりも上側に配置され、第２シャフト３４が第４シャフト５２よりも上側に配置される。
【００３１】
上述した前脚１５は、後方部分が開放されており、後脚１６は前脚１５の内側に一部が入り込んでいる。よって、リンク機構３が動作しても、少なくとも後方位置と前方位置の間では、前脚１５と後脚１６は互いに干渉しない。
【００３２】
背もたれ１７は、座体１１の後方に配置されており、図２Ａ〜図２Ｂに示されるように、当接部材６１と、枠部材６２と、複数の補強部材６３と、を備える。
当接部材６１は、背もたれ１７における着座した使用者と当接する部分を構成する。この当接部材６１は、シート状であって弾性を有する部材であり、第１実施形態では、メッ
シュ状の形状である。枠部材６２は、平面視で中央が開口部となる略四角形であって、開口部を覆うように当接部材６１が張り掛けられ、当接部材６１を保持する。
【００３３】
補強部材６３は、当接部材６１の後方において、当接部材６１から前後方向に間隔を開けて配置される。補強部材６３それぞれは、枠部材６２の左右の部分を架け渡すように左右に長さを有している。複数の補強部材６３は、上下方向に並び、かつ、上下方向に間隔を開けて配置されている。
【００３４】
［１−２．座受けと連結部の連結構造］
図６に示されるように、第１接続部４３及び第２接続部４４は、左右方向に関して椅子１の中心側が低くなる。そのため、座受け支持部４１は、座体支持部４２よりも低い位置に配置され、座体１１が座受け１２よりも上方に配置される。このようにして、連結部１３Ａ及び連結部１３Ｂにより、着座部２２が座受け１２に対して上下方向の間隔が空けられた状態となる。
【００３５】
次に、座受け１２と連結部１３とが当接する方向について説明する。座受け１２における連結部１３と当接する面を当接面７１、連結部１３における座受け１２と当接する面を当接面７２とする。当接面７１は、下方向を向く面であり、当接面７２は、上方向を向く面である。言い換えると、当接面７２が下側から、当接面７１が上側から、それぞれ相手側に当接している。当接面７１及び当接面７２は、いずれも法線方向が鉛直方向に沿った方向である。当接面７１は、延出部３２における下側の面である。このような構成であるため、連結部１３は、座受け１２の上側を向く面に連結部１３を載せることなく、座受け１２と接続している。
【００３６】
次に、連結部１３と、第１シャフト３３及び第２シャフト３４との位置関係について説明する。連結部１３の下端部分は、第１シャフト３３及び第２シャフト３４の上端に沿う水平面Ｐよりも下側に位置する。つまり、連結部１３の少なくとも一部は、第１シャフト３３及び第２シャフト３４の上端よりも下側に位置する。
【００３７】
なお、第１実施形態では、連結部１３と座受け１２との固定は、連結部１３の下方から座受け１２に向けて複数のボルト８１を挿入することで実現してもよい。連結部１３と座受け１２との固定方法はネジ部材を用いる方法に限定されず、様々な方法を採用することができる。
【００３８】
［１−３．効果］
以上詳述した第１実施形態によれば、以下の効果が得られる。
（１ａ）椅子１は、連結部１３が座受け１２の下方から座受け１２に当接する。そのため、連結部１３の一部を座受け１２に乗せるように配置して連結部１３と座受け１２とを固定する場合と比較して、着座部２２と座受け１２との間の空間を広く確保しつつ、座受け１２を高い位置に配置することができる。言い換えると、椅子１は、着座部２２の高さを変更することなく、座受け１２の位置を高くすることができる。
【００３９】
そして、座受け１２を高い位置に配置することができるため、前脚１５及び後脚１６の上下方向の長さ、即ち、第１シャフト３３と第３シャフト５１の距離、及び、第２シャフト３４と第４シャフト５２の距離を長くすることができる。リンク部材の長さが大きいほど、図７に示されるように、座体１１が前後揺動するときの上下方向の変位量を小さくできる。
【００４０】
座体１１が前後揺動するときの上下方向の変位量が大きいと、使用者が座体１１を前後に移動させる場合に座体１１を大きく上に上昇させる必要があるため、特に座体１１に腰
掛けながら移動させようとする場合に必要な力が大きくなってしまい、使用者にとって不便である。しかしながら、椅子１では上下方向の変位量が小さいことから、移動に大きな力が必要とならない。また、上下に変位することに起因する、使用者が感じる違和感の低減が可能となる。また、座体１１の上下の変位に起因する設計上の制限が低減でき、椅子１を机と組み合わせて配置する場合の机及び椅子の設計自由度の向上を図ることができる。
【００４１】
（１ｂ）椅子１は、第１シャフト３３及び第２シャフト３４の上端よりも連結部１３の下端部が低い位置に配置される。このように第１シャフト３３及び第２シャフト３４の位置が高い位置であることにより、前脚１５及び後脚１６の上下方向の長さを長くすることができる。そのため、座体１１が揺動する時の上下方向の変位量を小さくできる。
【００４２】
なお、第１シャフト３３と第２シャフト３４の高さが相違する場合は、いずれか高い位置にあるシャフトと比較してもよい。また、揺動により座体１１の傾斜角度が変化する場合には、例えば、使用者の着座が可能となる状態において比較を行ってもよい。
【００４３】
（１ｃ）椅子１は、連結部１３が延出部３２と当接するため、本体部３１における第１シャフト３３及び第２シャフト３４の配置に連結部１３Ａが与える影響が低減され、第１シャフト３３及び第２シャフト３４の配置の自由度が向上する。よって、第１シャフト３３及び第２シャフト３４の位置を高くすることが容易となり、座体１１が揺動するときの上下方向の変位をより高度に低減できる。
【００４４】
（１ｄ）椅子１は、連結部１３に背もたれ支持部４５が設けられているため、背もたれ支持部４５が座体１１に設けられている場合と比較して、背もたれ１７を安定して支持することができる。背もたれ支持部４５が座体１１に設けられている構成とは、言い換えると、背もたれ支持部４５と連結部１３との間に座体２０が配置された構成であると言える。構成要素を積み重ねるほど、上側の安定感は失われるので、より床面側に近い構成要素である連結部１３に背もたれ支持部４５が設けられることで、背もたれ１７の安定性が向上する。
【００４５】
［１−４．第１実施形態の変形例］
本実施形態では、当接面７１と当接面７２がいずれも平面である構成を例示したが、いずれか一方及び両方が平面のみではなくてもよい。具体的には、連結部１３における座受け１２と当接する面が、水平方向を向く面、及び、水平方向よりも上を向く面のいずれか一方又は両方であればよい。言い換えると、連結部１３を下方から、かつ、座受け１２を上方から相対的に接近させて当接した状態で、互いに連結されていればよい。
なお、本開示における当接面とは、座受け１２及び連結部１３が相手側の部材と当接する表面を意味するものである。よって、凹凸面、曲面、シボ加工等の表面処理が施された面であってもよい。
【００４６】
例えば、図８Ａに示される椅子１０１のように、座受け１０２における左右一対の連結部１０３との当接面１０５と、連結部１０３における座受け１０２との当接面１０６と、は、鉛直面と、水平面と、を含む。言い換えると、当接面１０６は、水平方向を向く面、及び、水平方向よりも上を向く面を含んでおり、法線方向が異なる複数の面を含む。また、軸部材１０４の上端を含む水平面Ｐは、連結部１０３の下端よりも上方に位置している。
【００４７】
また、図８Ｂに示される椅子２０１は、座受け２０２における左右一対の連結部２０３との当接面２０５と、連結部２０３における座受け２０２との当接面２０６と、がいずれも鉛直面である。また、軸部材２０４の上端を含む水平面Ｐは、連結部２０３の下端より
も上方に位置している。
【００４８】
また、図８Ｃに示される椅子３０１において、座受け３０２における左右一対の連結部３０３との当接面３０５と、連結部３０３における座受け３０２との当接面３０６とは、鉛直面に対して傾斜する面である。当接面３０６は、水平方向よりもわずかに上を向く面である。また、軸部材３０４の上端を含む水平面Ｐは、連結部３０３の下端よりも上方に位置している。このような図８Ａ〜８Ｃに示される椅子は、第１実施形態の上述した（１ａ）の効果を奏することができる。
【００４９】
［２．第２実施形態］
［２−１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００５０】
図９Ａに示されるように、本実施形態の椅子４０１は、座受け４０２が、正面から見て略台形状である。そのため、座受け４０２における左右一対の連結部４０３との当接面４０５と、連結部４０３における座受け４０２との当接面４０６と、は、いずれも鉛直面から傾斜した面である。
【００５１】
椅子４０１は、連結部４０３の当接面４０６が水平方向よりもわずかに下を向く面である点で、第１実施形態とは異なる。なお、軸部材４０４の上端を含む水平面Ｐは、連結部４０３の下端よりも上方に位置している。
【００５２】
以上説明した第２実施形態によれば、上述した第１実施形態の効果（１ｂ）が得られる。
［２−２．第２実施形態の変形例］
本第２実施形態では、座受け４０２と連結部４０３とが平面で当接する構成を例示したが、複数の面で当接していてもよい。
【００５３】
例えば、図９Ｂに示される椅子５０１のように、座受け５０２は側方に延び出す延出部５０２Ａを備えており、延出部５０２Ａの上面、側面、及び下面のすべてにおいて、連結部５０３と当接していてもよい。
【００５４】
このように、座受けと連結部との当接態様は特に限定されない。一方、軸部材５０４の上端を含む水平面Ｐは、連結部５０３の下端よりも上方に位置している。
このような構成であっても、上述した第１実施形態の効果（１ｂ）が得られる。
【００５５】
［３．その他の実施形態］
以上本開示の実施形態について説明したが、本開示は、上記実施形態に何ら限定されることはなく、本開示の技術的範囲に属する限り種々の形態をとり得ることはいうまでもない。
【００５６】
（３ａ）上記各実施形態では、着座部がシート状の部材であり、具体的にはメッシュである構成を例示した。しかしながら、着座部はメッシュ以外のシート状の部材であってもよいし、弾性変形可能な薄板状の部材であってもよい。例えば、薄板状のエラストマを着座部として用いてもよい。
【００５７】
（３ｂ）上記第１実施形態では、四角の枠状の部材である保持部２１を例示したが、着座部が弾性変形可能な状態で保持することが可能であれば、保持部は上記以外の構成であ
ってもよい。例えば、枠前部２１Ｆ及び枠後部２１Ｂの一方又は両方が設けられておらず、主に枠左部２１Ｌと枠右部２１Ｒのように着座部２２の左右に配置される部材によって着座部２２が保持される構成であってもよい。
【００５８】
（３ｃ）連結部の具体的な形態は、上記各実施形態で例示した構成に限定されない。少なくとも、着座部が座受けに対して上下方向の間隔を空けた状態となるように、保持部と座受けとを連結することができる様々な形態とすることができる。
【００５９】
また、連結部は左右対称である必要はなく、左右で別の形状であってもよいし、左右のいずれか一方に設けられていてもよい。また、連結部は、座体の前方側、後方側、及びそれらの両方に設けられる構成であってもよい。
【００６０】
（３ｄ）上記第１実施形態では背もたれを備える椅子を例示したが、背もたれは備えていなくてもよい。また、第１実施形態では、連結部１３が背もたれ支持部４５を備える構成を例示したが、連結部以外の部分に背もたれ支持部が備えられていてもよい。なお背もたれ支持部とは、背もたれの主たる部分を支持する部分である。
【００６１】
（３ｅ）リンク機構を構成する第１〜第４シャフトの位置は、上記各実施形態で開示した位置に限定されない。例えば、第１シャフトと第２シャフトの高さが異なっていてもよい。また、第１〜第４シャフトは、その具体的な構成や直径は特に限定されず、一部又は全てのシャフトの構造が異なっていてもよい。なお本開示における軸部材は、回転の軸となる部分であって、回転時に実質的に荷重を受ける部分を指す。
【００６２】
（３ｆ）本開示の椅子は、上記各実施形態で開示した具体的な構成に何ら限定されない。例えば、脚座１４の形状は特に限定されず、様々な形態とすることができる。また、客座は設けられておらず、床面等に前脚及び後脚が直接的に回動可能に連結されていてもよい。
【００６３】
（３ｇ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【００６４】
１…椅子、３…リンク機構、１１…座体、１２…座受け、１３，１３Ａ，１３Ｂ…連結部、１４…脚座、１５…前脚、１６…後脚、１７…背もたれ、２１…保持部、２１Ｂ…枠後部、２１Ｆ…枠前部、２１Ｌ…枠左部、２１Ｒ…枠右部、２２…着座部、３１…本体部、３２…延出部、３３…第１シャフト、３４…第２シャフト、４１…座受け支持部、４２…座体支持部、４３…第１接続部、４４…第２接続部、４５…背もたれ支持部、５１…第３シャフト、５２…第４シャフト、６１…当接部材、６２…枠部材、６３…補強部材、７１…当接面、７２…当接面、８１…ボルト、１０１，２０１，３０１，４０１，５０１…椅子、１０２，２０２，３０２，４０２，５０２…座受け、１０３，２０３，３０３，４０３，５０３…連結部、１０４，２０４，３０４，４０４，５０４…軸部材、１０５，１０６，２０５，２０６，３０５，３０６，４０５，４０６…当接面、５０２Ａ…延出部、Ｐ…水平面
【図１】
2020062335.tif 000003
【図２】
2020062335.tif 000004
【図３】
2020062335.tif 000005
【図４】
2020062335.tif 000006
【図５】
2020062335.tif 000007
【図６】
2020062335.tif 000008
【図７】
2020062335.tif 000009
【図８】
2020062335.tif 000010
【図９】
2020062335.tif 000011